Podtech/llm-jp-corpus-v4-ja_patent huggingface dataset:
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
エンジンの出力を脱穀装置に伝達する入り状態と前記エンジンの出力の前記脱穀装置への伝達を遮断する切り状態とに切り換え自在な脱穀クラッチと、
前記エンジンの出力を刈取処理装置に伝達する入り状態と前記エンジンの出力の前記刈取処理装置への伝達を遮断する切り状態とに切り換え自在な刈取クラッチと、
前記エンジンを設定定格回転数にて回転させる定格回転状態と前記エンジンをアイドリング回転数にて回転させるアイドリング状態とに切り換え自在なアクセル手段とが設けられたコンバインの駆動制御装置であって、
前記脱穀クラッチの前記入り状態と前記切り状態との切換操作、前記刈取クラッチの前記入り状態と前記切り状態との切換操作、及び、前記アクセル手段の前記定格回転状態と前記アイドリング状態との切換操作を行う切換操作用駆動手段と、
作業開始指令を指令する状態に操作自在な作業指令手段と、
刈取作業開始条件が満たされているか否かを判別するための運転操作状態を検出する運転操作状態検出手段と、
前記切換操作用駆動手段の作動を制御する制御手段とが設けられ、
前記制御手段が、
前記作業指令手段にて前記作業開始指令が指令されると、前記アクセル手段を前記定格回転状態にかつ前記脱穀クラッチを入り状態にする運転起動状態にすべく、前記切換操作用駆動手段の作動を制御するように構成され、且つ、
前記運転起動状態において、前記運転操作状態検出手段の検出情報に基づいて前記刈取作業開始条件が満たされていることを判別すると、前記刈取クラッチを前記入り状態にし、かつ、前記運転操作状態検出手段の検出情報に基づいて前記刈取作業開始条件が満たされていないことを判別すると、前記刈取クラッチを前記切り状態にすべく、前記切換操作用駆動手段の作動を制御するように構成されているコンバインの駆動制御装置。
【請求項２】
前記作業指令手段が、作業停止指令を指令する状態に操作自在に構成され、
前記制御手段が、前記運転起動状態において、前記作業指令手段により前記作業停止指令が指令されると、前記アクセル手段を前記定格回転状態に維持した状態で前記脱穀クラッチ及び前記刈取クラッチを前記切り状態とすべく、前記切換操作用駆動手段の作動を制御するように構成されている請求項１に記載のコンバインの駆動制御装置。
【請求項３】
前記運転操作状態検出手段が、
前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、
前記制御手段が、
前記刈取処理装置が設定高さよりも下降側の刈取処理高さに位置し、且つ、前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている請求項１又は２に記載のコンバインの駆動制御装置。
【請求項４】
前記運転操作状態検出手段が、
前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、
前記制御手段が、
前記刈取処理装置が設定高さよりも下降側の刈取処理高さに位置し、且つ、前記走行変速操作具が前進側範囲の位置又は前進側範囲でかつ設定速度以上の高速側の範囲に位置すると、前記刈取作業開始条件が満たされたと判別するように構成されている請求項１又は
２に記載のコンバインの駆動制御装置。
【請求項５】
前記運転操作状態検出手段が、
前記脱穀装置を搭載した走行機体に対して昇降操作自在に設けられた前記刈取処理装置の昇降位置を検出する昇降位置検出手段を備えて構成され、
前記制御手段が、
前記刈取処理装置が設定高さよりも下降側の刈取処理高さに位置すると、前記刈取作業開始条件が満たされたと判別するように構成されている請求項１又は２に記載のコンバインの駆動制御装置。
【請求項６】
前記運転操作状態検出手段が、
走行変速操作具の変速操作位置を検出する操作位置検出手段を備えて構成され、
前記制御手段が、
前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている請求項１又は２に記載のコンバインの駆動制御装置。
【請求項７】
前記運転操作状態検出手段が、
走行変速操作具の変速操作位置を検出する操作位置検出手段を備えて構成され、
前記制御手段が、
前記走行変速操作具が前進側範囲の位置又は前進側範囲でかつ設定速度以上の高速側の範囲に位置すると、前記刈取作業開始条件が満たされたと判別するように構成されている請求項１又は２に記載のコンバインの駆動制御装置。
【請求項８】
電源回路を切るオフ状態及び前記電源回路を入れるオン状態に切換操作自在なメインスイッチが設けられ、
前記制御手段が、前記メインスイッチが前記オフ状態から前記オン状態に切り換えられると、前記アクセル手段を前記アイドリング状態に且つ前記脱穀クラッチ及び前記刈取クラッチを前記切り状態にすべく、前記切換操作用駆動手段の作動を制御するように構成されている請求項１〜７のいずれか１項に記載のコンバインの駆動制御装置。
【請求項９】
前記切換操作用駆動手段が、単一のアクチュエータにて、前記脱穀クラッチ、前記刈取クラッチ、及び、前記アクセル手段を操作するように構成されている請求項１〜７のいずれか１項に記載のコンバインの駆動制御装置。
【手続補正書】
【提出日】平成20年8月25日(2008.8.25)
【手続補正１】
【補正対象書類名】特許請求の範囲
【補正対象項目名】請求項７
【補正方法】変更
【補正の内容】
【請求項７】
上記中間体として、デカヒドロ-2-ヒドロキシ-2,5,5,8a-テトラメチルナフタレンエタノール及び/又はスクラレオリド（デカヒドロ3a,6,6,9a-テトラメチルナフト[2,1-b]フラン-2（1H）-オン；（Sclareolide））を生成する能力を有する請求項１乃至６いずれか一項記載の微生物。
【手続補正２】
【補正対象書類名】特許請求の範囲
【補正対象項目名】請求項９
【補正方法】変更
【補正の内容】
【請求項９】
上記中間体として、デカヒドロ-2-ヒドロキシ-2,5,5,8a-テトラメチルナフタレンエタノール及び/又はスクラレオリド（デカヒドロ3a,6,6,9a-テトラメチルナフト[2,1-b]フラン-2（1H）-オン；（Sclareolide））を回収する工程を有することを特徴とする請求項８記載のドデカヒドロ-3a,6,6,9a-テトラメチルナフト[2,1-b]フラン中間体の製造方法。
【手続補正３】
【補正対象書類名】明細書
【補正対象項目名】０００２
【補正方法】変更
【補正の内容】
【０００２】
ドデカヒドロ-3a,6,6,9a-テトラメチルナフト[2,1-b]フラン（アンブロキサン（商標）と呼ばれる場合もある）は残香性の高い香料であり、主にクラリーセージ（Salvia sclarea）から抽出されたスクラレオール（Sclareol）から化学変換によって製造されている。スクラレオールからドデカヒドロ-3a,6,6,9a-テトラメチルナフト[2,1-b]フランを生産する工程を図１に示す。図１に示すように、ドデカヒドロ-3a,6,6,9a-テトラメチルナフト[2,1-b]フラン中間体としては、デカヒドロ-2-ヒドロキシ-2,5,5,8a-テトラメチルナフタレンエタノール及びスクラレオリド（デカヒドロ3a,6,6,9a-テトラメチルナフト[2,1-b]フラン-2（1H）-オン；（Sclareolide））が知られている。また、図１には示さないが、ドデカヒドロ-3a,6,6,9a-テトラメチルナフト[2,1-b]フラン中間体としては、環状エーテル体（8α, 13-オキシド-12,13-デヒドロ-15,16-ジノルラブダン）が知られている。
【手続補正４】
【補正対象書類名】明細書
【補正対象項目名】００１３
【補正方法】変更
【補正の内容】
【００１３】
本発明において上記中間体としては、デカヒドロ-2-ヒドロキシ-2,5,5,8a-テトラメチルナフタレンエタノール及び/又はスクラレオリド（デカヒドロ3a,6,6,9a-テトラメチルナフト[2,1-b]フラン-2（1H）-オン）を挙げることができる。
【手続補正５】
【補正対象書類名】明細書
【補正対象項目名】００１７
【補正方法】変更
【補正の内容】
【００１７】
以下、本発明を詳細に説明する。
新規微生物
本発明に係る新規微生物は、子嚢菌網（Ascomycetes）に属し、スクラレオールを基質としてドデカヒドロ-3a,6,6,9a-テトラメチルナフト[2,1-b]フラン合成過程における中間体（ドデカヒドロ-3a,6,6,9a-テトラメチルナフト[2,1-b]フラン中間体）を生成する微生物である。ここで、ドデカヒドロ-3a,6,6,9a-テトラメチルナフト[2,1-b]フラン中間体とは、デカヒドロ-2-ヒドロキシ-2,5,5,8a-テトラメチルナフタレンエタノール及びスクラレオリド（デカヒドロ3a,6,6,9a-テトラメチルナフト[2,1-b]フラン-2（1H）-オン）を意味する。
【手続補正書】
【提出日】平成20年10月22日(2008.10.22)
【手続補正１】
【補正対象書類名】特許請求の範囲
【補正対象項目名】請求項１
【補正方法】変更
【補正の内容】
【請求項１】
Ｎ（Ｎは２以上の整数）相モータ巻線を備えたＮ相モータに、探索起動モードにおいて探索電流と起動電流を供給することにより、前記Ｎ相モータを起動し、逆起電圧モードにおいて駆動電流を供給することにより、前記Ｎ相モータを駆動する装置であって、
探索駆動信号、起動駆動信号、および通常駆動信号を生成する駆動信号生成手段と、
前記探索駆動信号、前記起動駆動信号、および前記通常駆動信号に基づいて、それぞれ前記探索電流、前記起動電流、前記駆動電流を生成する駆動手段と、
Ｎ相モータ端子電圧の平均を表す疑似中性点電圧を生成する疑似中性点電圧生成手段と、
前記Ｎ相モータ端子電圧と、前記疑似中性点電圧との差を表す端子差電圧を検出し、検出結果信号を生成する端子差電圧検出手段とを有し、
前記駆動信号生成手段は、探索起動モードにおいて、前記探索駆動信号と前記検出結果信号に基づいて、前記起動駆動信号を制御することを特徴とする、モータ駆動装置。
【手続補正２】
【補正対象書類名】明細書
【補正対象項目名】００１９
【補正方法】変更
【補正の内容】
【００１９】
上記目的を達成するために、本発明のモータ駆動装置は、Ｎ（Ｎは２以上の整数）相モータ巻線を備えたＮ相モータに、探索起動モードにおいて探索電流と起動電流を供給することにより、前記Ｎ相モータを起動し、逆起電圧モードにおいて駆動電流を供給することにより、前記Ｎ相モータを駆動する装置であって、探索駆動信号、起動駆動信号、および通常駆動信号を生成する駆動信号生成手段と、前記探索駆動信号、前記起動駆動信号、および前記通常駆動信号に基づいて、それぞれ前記探索電流、前記起動電流、前記駆動電流を生成する駆動手段と、Ｎ相モータ端子電圧の平均を表す疑似中性点電圧を生成する疑似中性点電圧生成手段と、前記Ｎ相モータ端子電圧と、前記疑似中性点電圧との差を表す端子差電圧を検出し、検出結果信号を生成する端子差電圧検出手段とを有し、前記駆動信号生成手段は、探索起動モードにおいて、前記探索駆動信号と前記検出結果信号に基づいて、前記起動駆動信号を制御することを特徴としている。
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
複数の図柄を表面に表示した複数の回転体と、複数の図柄の一部を表示する表示窓とからなる図柄表示部と、
前記複数の回転体の回転開始を要求する開始操作の検出を行う開始操作検出部と、
前記開始操作検出部による開始操作の検出時に乱数抽籤により当籤役を決定する当籤役決定部と、
前記開始操作検出部による開始操作の検出に基づいて前記複数の回転体を回転させて前記図柄表示部に表示される図柄を変動させる図柄変動部と、
前記図柄変動部により変動される図柄の位置を検出する図柄位置検出部と、
前記図柄変動部による回転体の回転の停止操作の検出を行う停止操作検出部と、
前記停止操作検出部により行われる停止操作の検出を契機として、前記当籤役決定部により決定された当籤役と前記図柄位置検出部により検出された図柄位置とに基づいて図柄の滑り駒数を決定する滑り駒数決定部と、
前記滑り駒数決定部により決定された滑り駒数に基づいて前記図柄変動部により行われる図柄の変動を停止制御する停止制御部と、
前記当籤役決定部により決定された当籤役が特別の当籤役であり、前記図柄表示部に特別の当籤役に対応した図柄の組合せが表示されたことを条件に、一般遊技状態から該一般遊技状態より前記当籤役の決定確率が高い特別遊技状態に移行する特別遊技状態移行部と、
前記当籤役決定部により決定された当籤役が前記特別の当籤役であって、前記滑り駒数決定部により決定された滑り駒数が予め設定した所定の滑り駒数と一致したときに、前記当籤役が前記特別の当籤役であることを報知する報知部と
を備えたことを特徴とする遊技機。
【請求項２】
前記予め設定する所定の滑り駒数は０駒であることを特徴とする請求項１に記載の遊技機。
【請求項３】
前記予め設定する所定の滑り駒数は１駒から４駒の中から任意に設定されることを特徴とする請求項１記載の遊技機。
【請求項４】
前記報知部は、発光、音発生、振動発生あるいは特殊映像の発生のいずれか又はこれらの組み合わせにより報知することを特徴とする請求項１〜３のいずれかに記載の遊技機。
【請求項５】
複数の回転体の表面に描かれた図柄を開始操作に連動させて回転させるステップと、
該回転している複数の回転体を停止操作に連動させて停止させるステップと、
前記複数の回転体を回転させる前記開始操作に連動させて乱数抽籤により当籤役を決定するステップと、
前記回転体の図柄変動を監視し、前記変動される図柄の位置を検出するステップと、
前記回転体の停止操作時に前記決定された当籤役と前記検出された図柄位置とから、前記図柄の滑り駒数を決定するステップと、
前記滑り駒数に基づいて前記図柄の変動を停止制御するステップと、
前記決定された当籤役が特別の当籤役であって、この特別の当籤役に対応した図柄の組合せが表示された場合に、一般遊技状態から該一般遊技状態より前記当籤役の決定確率が高い特別遊技状態に移行するステップを含み、
前記決定された当籤役が前記特別の当籤役であって、前記決定された滑り駒数が予め設定した所定の滑り駒数に合致したとき、前記当籤役が前記特別の当籤役であることを報知すること
を特徴とする遊技機の制御方法。
【請求項６】
前記予め設定する所定の滑り駒数は０駒であることを特徴とする請求項５に記載の遊技機の制御方法。
【請求項７】
前記予め設定する所定の滑り駒数は１駒から４駒の中から任意に設定されることを特徴とする請求項５に記載の遊技機の制御方法。
【手続補正書】
【提出日】平成20年2月14日(2008.2.14)
【手続補正１】
【補正対象書類名】明細書
【補正対象項目名】０００２
【補正方法】変更
【補正の内容】
【０００２】
ゲーム世界においてキャラクタを操作し、イベントをこなしたり戦闘を行ったりするロールプレイングゲームが、根強い人気を集めている。ゲームのエンディングを迎えた後も、キャラクタを更に成長させたり、入手できていないアイテムを探したり、何度も繰り返しプレイするユーザも多い。
【特許文献１】米国特許第６８８１１４９号明細書
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
筒状の集塵容器内で吸気を旋回して吸気内の塵埃を分離するサイクロン集塵装置を備えた電気掃除機において、前記サイクロン集塵装置は、開口された前記集塵容器の上面を覆って前記集塵容器を着脱自在に保持する保持部と、前記集塵容器内に配されるとともに前記集塵容器内から空気を流出させる流出口を有する内筒と、前記流出口からの糸状のごみの流出を防止する流出防止部と、前記保持部に配されて前記内筒から導かれる空気内の塵埃を捕集するフィルターと、前記フィルターを回転駆動する駆動部と、前記フィルターの吸気側の面に当接して前記フィルターの回転により前記フィルターを除塵するフィルター除塵部とを有することを特徴とする電気掃除機。
【請求項２】
前記フィルターは前記駆動部に連結されるギヤ部を周面に有し、前記フィルターの周面と前記保持部の内面との間をシールするパッキンを前記ギヤ部の上下に設けたことを特徴とする請求項１に記載の電気掃除機。
【請求項３】
前記内筒は上端を前記フィルターの下面よりも大きく拡径する傾斜面を有することを特徴とする請求項１または請求項２に記載の電気掃除機。
【請求項４】
前記フィルターに連結されるとともに前記傾斜面に当接し、前記フィルターの回転により前記傾斜面を除塵する傾斜面除塵部を設けたことを特徴とする請求項３に記載の電気掃除機。
【請求項５】
前記流出口の内面側に配されて塵埃を捕集するとともに前記フィルターと一体回転する内筒フィルターと、前記内筒フィルターに当接して前記内筒フィルターの回転により前記内筒フィルターを除塵する内筒フィルター除塵部とを備えたことを特徴とする請求項１〜請求項３のいずれかに記載の電気掃除機。
【請求項６】
前記内筒フィルター除塵部がブラシまたは弾性体から成ることを特徴とする請求項５に記載の電気掃除機。
【請求項７】
前記内筒フィルターの断面形状をプリーツ状にしたことを特徴とする請求項５または請求項６に記載の電気掃除機。
【請求項８】
前記内筒を前記集塵容器の底面まで延びて形成するとともに前記内筒の下端を開放したことを特徴とする請求項１〜請求項７のいずれかに記載の電気掃除機。
【請求項９】
前記内筒は下方へ行くほど縮径する傾斜面を下部に有することを特徴とする請求項８に記載の電気掃除機。
【手続補正２】
【補正対象書類名】明細書
【補正対象項目名】０００９
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３３
【補正方法】削除
【補正の内容】
【手続補正書】
【提出日】平成20年9月16日(2008.9.16)
【手続補正１】
【補正対象書類名】特許請求の範囲
【補正対象項目名】全文
【補正方法】変更
【補正の内容】
【特許請求の範囲】
【請求項１】
商用電源から供給される電力を利用して発熱する発熱体を内包し、トナー画像が形成された転写材に前記発熱体の熱を加えることで前記トナー画像を前記転写材に定着させる定着手段を有する画像形成装置であって、
商用電源から前記定着手段に供給される電力を所定の制限レベルに制限する電力制限手段と、
充放電可能な蓄電手段と、
前記蓄電手段からの電力供給を制御する制御手段と、
前記制御手段による制御状態に応じて、前記制限レベルを調整する調整手段とを備えることを特徴とする画像形成装置。
【請求項２】
前記制御手段は、前記蓄電手段から前記定着手段を除く負荷への電力供給を制御し、
前記調整手段は、前記制御手段が前記蓄電手段から前記定着手段を除く負荷への電力供給を指示している間、前記定着手段に供給される電力の前記制限レベルを該電力供給に対応する量だけ増加させることを特徴とする請求項１に記載の画像形成装置。
【請求項３】
前記制御手段は、前記定着手段の加熱立ち上げ時に前記蓄電手段から電力供給を行なうことを特徴とする請求項１又は２に記載の画像形成装置。
【請求項４】
プリント要求の有無を検出するプリント要求有無検出手段を更に有し、
前記制御手段は、少なくとも電源投入時または省エネルギーモードからの復帰時において、前記プリント要求有無検出手段による検出結果に応じて、前記充放電可能な蓄電手段への供給電力を制御することを特徴とする請求項１乃至３のいずれか１つに記載の画像形成装置。
【請求項５】
前記制御手段は、前記プリント要求有無検出手段が電源投入時または省エネルギーモードからの復帰時にプリント要求が無いと検出すると、前記充放電可能な蓄電手段への電力供給を実行することを特徴とする請求項４に記載の画像形成装置。
【請求項６】
前記制御手段は、前記充放電可能な蓄電手段への電力供給中に、前記プリント要求有無検出手段によりプリント要求を検出すると、前記充放電可能な蓄電手段への電力供給を中止することを特徴とする請求項４に記載の画像形成装置。
【請求項７】
前記蓄電手段の蓄電量を検出する蓄電量検出手段と、前記定着手段の温度を検出する温度検出手段とを更に有し、
前記制御手段は、
前記蓄電量検出手段により検出された前記蓄電手段の蓄電量が所定量以上ある場合、かつ、前記温度検出手段により検出された前記定着手段の温度が所定温度未満の場合は、前記蓄電手段からの電力を前記負荷に供給し、
前記蓄電手段からの電力を前記負荷に供給している間、前記蓄電量検出手段と前記温度検出手段による検出を繰り返すことで前記蓄電手段の蓄電量および前記定着手段の温度を監視し、
前記蓄電手段の蓄電量が前記所定量未満となった場合、又は、前記定着手段の温度が前記所定温度以上となった場合は、前記蓄電手段から前記負荷への電力供給を遮断することを特徴とする請求項１乃至６のいずれか１つに記載の画像形成装置。
【請求項８】
前記定着手段は、電磁誘導加熱方式の定着器であることを特徴とする請求項１乃至７のいずれか１つに記載の画像形成装置。
【請求項９】
前記定着手段は、セラミック面状発熱ヒータ方式の定着器であることを特徴とする請求項１乃至７のいずれか１つに記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は画像形成装置、特に、電子写真プロセス等を利用した画像形成装置に関するものである。
【手続補正４】
【補正対象書類名】明細書
【補正対象項目名】００２１
【補正方法】変更
【補正の内容】
【００２１】
本発明は、このような問題に鑑みてなされてものであり、商用電源の上限電流をより有効活用して、これまで以上に温度の立ち上がりの早いオンデマンド定着を実現可能な画像形成装置を提供することを目的とする。
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】変更
【補正の内容】
【００２８】
本発明によれば、商用電源の上限電流をより有効活用して、これまで以上に温度の立ち上がりの早いオンデマンド定着を実現可能な画像形成装置を提供することができる。
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
光源から出射するレーザ光線を偏向走査する偏向走査手段と、前記偏向走査手段によって偏向走査されたレーザ光線を像担持体上に結像させる第１及び第２走査レンズと、を有し、前記第２走査レンズは、前記第１走査レンズよりも主走査方向に長いものであり、前記第１走査レンズを透過した後のレーザ光線が前記第２走査レンズを透過する走査光学装置において、
前記第２走査レンズに錘が付加されていることを特徴とする走査光学装置。
【請求項２】
前記第２走査レンズは、プラスティック樹脂であることを特徴とする請求項１に記載の走査光学装置。
【請求項３】
前記第２走査レンズは、主走査方向における両端部で前記走査光学装置に固定されていることを特徴とする請求項１又は２に記載の走査光学装置。
【請求項４】
前記錘は、板金によって構成されるものであり、前記板金の主走査方向における長さは、前記第２走査レンズの主走査方向における長さに対して１０％以下の長さであることを特徴とする請求項１乃至３のいずれかに記載の走査光学装置。
【請求項５】
前記錘は、ビスであり、前記第２走査レンズには前記ビスが取り付けられる取付穴が複数設けられており、前記複数の取付穴に対して前記ビスが選択的に取り付け可能であることを特徴とする請求項１乃至３のいずれかに記載の走査光学装置。
【請求項６】
像担持体と、前記像担持体上にレーザ光線を結像させる走査光学装置と、を有する画像形成装置において、
前記走査光学装置は、請求項１乃至５のいずれかに記載の走査光学装置であることを特徴とする画像形成装置。
【手続補正２】
【補正対象書類名】明細書
【補正対象項目名】０００９
【補正方法】変更
【補正の内容】
【０００９】
前記目的を達成するための本発明に係る代表的な構成は、光源から出射するレーザ光線を偏向走査する偏向走査手段と、前記偏向走査手段によって偏向走査されたレーザ光線を像担持体上に結像させる第１及び第２走査レンズと、を有し、前記第２走査レンズは、前記第１走査レンズよりも主走査方向に長いものであり、前記第１走査レンズを透過した後のレーザ光線が前記第２走査レンズを透過する走査光学装置において、前記第２走査レンズに錘が付加されていることを特徴とする。
【手続補正３】
【補正対象書類名】明細書
【補正対象項目名】００２２
【補正方法】変更
【補正の内容】
【００２２】
図２に示すように、走査光学装置50の筐体に正確に組み付けられている光源としての半導体レーザ70Ｍ、70Ｃより出射されたレーザ光線ＬＭ、ＬＣは、偏向走査手段としてのポリゴンミラー51ａによって異なる方向に偏向走査される。同様に、半導体レーザ70Ｙ、70Ｋより出射されたレーザ光線ＬＹ、ＬＫは、ポリゴンミラー51ｂによって偏向走査される。
【手続補正４】
【補正対象書類名】明細書
【補正対象項目名】００２３
【補正方法】変更
【補正の内容】
【００２３】
ポリゴンミラー51ａを備えたポリゴンモータ54ａの回転駆動によって走査されたレーザ光線ＬＭ、ＬＣは、それぞれ、第１走査レンズである走査レンズ52Ｍ、52Ｃ及び第２走査レンズである走査レンズ55Ｍ、55Ｃによって感光体ドラム57Ｍ、57Ｃ上に結像させられる。また、レーザ光線ＬＭ、ＬＣは、図１に示すように、それぞれ、走査レンズ52Ｍ、52Ｃを透過して、折り返しミラー53Ｍ、53Ｃによって反射された後に、走査レンズ52Ｍ、52Ｃを透過して、感光体ドラム57Ｍ、57Ｃ上に導かれる。同様に、レーザ光線ＬＹ、ＬＫも、それぞれ、第１走査レンズである走査レンズ52Ｙ、52Ｋ及び第２走査レンズである走査レンズ55Ｙ、55Ｋによって感光体ドラム57Ｙ、57Ｋ上に結像させられ、折り返しミラー53Ｙ、53Ｋによって感光体ドラム57Ｙ、57Ｋ上に導かれる。このように、本実施例の走査光学装置50は、走査光学系を２対並列に並べることで、４つの感光体ドラム57Ｍ、57Ｃ、57Ｙ、57Ｋに走査光を導く。尚、走査レンズ52、55は、軽量のプラスティック樹脂で構成される。
【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
撮影累積回数を計数する計数手段と、
撮像装置内の異物を除去する清掃作業を実行する清掃手段と、
前記清掃手段による清掃作業を実行させるための、所定の撮影累積回数に対して設定される複数の基準値を記憶するテーブルと、
前記計数手段で計数された前記撮影累積回数と前記テーブルの基準値とに応じて、前記清掃手段による清掃作業を制御する制御手段とを有し、
前記基準値は、前記撮影累積回数が多くなるに従って基準値間の撮影回数が小さくならないように設定されることを特徴とする撮像装置。
【請求項２】
撮影累積回数を計数する計数手段と、
撮像装置内の異物を除去する清掃作業を実行する清掃手段と、
前記清掃手段による清掃作業を実行させるための、所定の撮影累積回数に対して設定される清掃時間を記憶するテーブルと、
前記計数手段で計数された前記撮影累積回数と前記テーブルの清掃時間とに応じて、前記清掃手段による清掃作業を制御する制御手段とを有し、
前記清掃時間は、前記撮影累積回数が多くなるに従って長くならないように設定されることを特徴とする撮像装置。
【請求項３】
不揮発性メモリをさらに有し、
前記テーブルは、前記不揮発性メモリに記憶されていることを特徴とする請求項１又は２に記載の撮像装置。
【請求項４】
前記計数手段は、シャッタの動作回数を計数することにより、撮影累積回数とすることを特徴とする請求項１乃至３のいずれか１項に記載の撮像装置。
【請求項５】
撮影累積回数を計数する計数工程と、
撮像装置内の異物を除去する清掃作業を実行する清掃工程と、
前記清掃工程による清掃作業を実行させるための、所定の撮影累積回数に対して設定される複数の基準値を記憶するテーブルの基準値と、前記計数工程で計数された前記撮影累積回数とに応じて、前記清掃工程による清掃作業を制御する制御工程とを有し、
前記基準値は、前記撮影累積回数が多くなるに従って基準値間の撮影回数が小さくならないように設定されることを特徴とする撮像装置の制御方法。
【請求項６】
撮影累積回数を計数する計数工程と、
撮像装置内の異物を除去する清掃作業を実行する清掃工程と、
前記清掃工程による清掃作業を実行させるための、所定の撮影累積回数に対して設定される清掃時間を記憶するテーブルの清掃時間と、前記計数工程で計数された前記撮影累積回数とに応じて、前記清掃工程による清掃作業を制御する制御工程とを有し、
前記清掃時間は、前記撮影累積回数が多くなるに従って長くならないように設定されることを特徴とする撮像装置の制御方法。
【請求項７】
前記テーブルは、前記撮像装置に設けられた不揮発性メモリに記憶されていることを特徴とする請求項５又は６に記載の撮像装置の制御方法。
【請求項８】
前記計数工程は、シャッタの動作回数を計数することにより撮影累積回数とすることを特徴とする請求項５乃至７のいずれか１項に記載の撮像装置の制御方法。
【手続補正２】
【補正対象書類名】明細書
【補正対象項目名】０００８
【補正方法】変更
【補正の内容】
【０００８】
上記目的を達成するために本発明の一態様に係る撮像装置は以下のような構成を備える。即ち、
撮影累積回数を計数する計数手段と、
撮像装置内の異物を除去する清掃作業を実行する清掃手段と、
前記清掃手段による清掃作業を実行させるための、所定の撮影累積回数に対して設定される複数の基準値を記憶するテーブルと、
前記計数手段で計数された前記撮影累積回数と前記テーブルの基準値とに応じて、前記清掃手段による清掃作業を制御する制御手段とを有し、
前記基準値は、前記撮影累積回数が多くなるに従って基準値間の撮影回数が小さくならないように設定されることを特徴とする。
【手続補正３】
【補正対象書類名】明細書
【補正対象項目名】０００９
【補正方法】変更
【補正の内容】
【０００９】
上記目的を達成するために本発明の一態様に係る撮像装置は以下のような構成を備える。即ち、
撮影累積回数を計数する計数手段と、
撮像装置内の異物を除去する清掃作業を実行する清掃手段と、
前記清掃手段による清掃作業を実行させるための、所定の撮影累積回数に対して設定される清掃時間を記憶するテーブルと、
前記計数手段で計数された前記撮影累積回数と前記テーブルの清掃時間とに応じて、前記清掃手段による清掃作業を制御する制御手段とを有し、
前記清掃時間は、前記撮影累積回数が多くなるに従って長くならないように設定されることを特徴とする。
【手続補正４】
【補正対象書類名】明細書
【補正対象項目名】００１０
【補正方法】変更
【補正の内容】
【００１０】
上記目的を達成するために本発明の一態様に係る撮像装置の制御方法は以下のような工程を備える。即ち、
撮影累積回数を計数する計数工程と、
撮像装置内の異物を除去する清掃作業を実行する清掃工程と、
前記清掃工程による清掃作業を実行させるための、所定の撮影累積回数に対して設定される複数の基準値を記憶するテーブルの基準値と、前記計数工程で計数された前記撮影累積回数とに応じて、前記清掃工程による清掃作業を制御する制御工程とを有し、
前記基準値は、前記撮影累積回数が多くなるに従って基準値間の撮影回数が小さくならないように設定される。
【手続補正５】
【補正対象書類名】明細書
【補正対象項目名】００１１
【補正方法】変更
【補正の内容】
【００１１】
上記目的を達成するために本発明の一態様に係る撮像装置の制御方法は以下のような工程を備える。即ち、
撮影累積回数を計数する計数工程と、
撮像装置内の異物を除去する清掃作業を実行する清掃工程と、
前記清掃工程による清掃作業を実行させるための、所定の撮影累積回数に対して設定される清掃時間を記憶するテーブルの清掃時間と、前記計数工程で計数された前記撮影累積回数とに応じて、前記清掃工程による清掃作業を制御する制御工程とを有し、
前記清掃時間は、前記撮影累積回数が多くなるに従って長くならないように設定されることを特徴とする。
【手続補正書】
【提出日】平成20年8月20日(2008.8.20)
【手続補正１】
【補正対象書類名】明細書
【補正対象項目名】００３４
【補正方法】変更
【補正の内容】
【００３４】
前記取得手段により取得された前記対照細胞および前記検体の細胞における検出目的分子の産生量に変化があった場合の前記細胞機能のスコアの推定を行う推定手段（例えば、図１の標的分子推定部２７）を更に備えることができる。
【手続補正２】
【補正対象書類名】明細書
【補正対象項目名】０１２１
【補正方法】変更
【補正の内容】
【０１２１】
また、例えば、図３Ｆに示される、NN型分子セットであるTP53とTXNRD1において、TP53がオンでTXNRD1がオフのとき、細胞機能との関連はないが、TP53がオフでTXNRD1がオンのとき、細胞の増幅機能が促進される。
【手続補正３】
【補正対象書類名】明細書
【補正対象項目名】０１３０
【補正方法】変更
【補正の内容】
【０１３０】
例えば、図１０Ａに示されるPP型分子セットであるTP53とPTENにおいて、双方が促進に働く場合、アポトーシス、化学的感受性、死亡の細胞機能が促進され、双方が抑制に働く場合、細胞増殖、細胞周期をG1期に進行させる、G1期からS期への移行、細胞周期をS期に進行させる、血管新生、成長率増加、G0期からG1期への移行、有糸分裂生起、RNAの局在化の機能が促進される。また、図１０Ｂに示されるPP型分子セットであるTP53とABCB1において、双方が促進に働く場合、アポトーシスや、細胞内で作られた分子を細胞外に放出（分泌）する機能が促進され、双方が抑制に働く場合、特定の細胞機能は促進されない。
【手続補正４】
【補正対象書類名】明細書
【補正対象項目名】０１３１
【補正方法】変更
【補正の内容】
【０１３１】
例えば、図１０Ｃに示されるPP型分子セットであるTP53とGADD45Aにおいて、双方が促進に働く場合、DNAヌクレオチド除去修復機能が促進され、双方が抑制に働く場合、有糸分裂生起、細胞周期をS期に進行させる、細胞周期をG2期に進行させる、細胞周期をG1期に進行させる、および、増殖などの細胞機能が促進される。そして、図１０Ｄに示されるPP型分子セットであるTP53とMYCにおいて、双方が促進に働く場合、アポトーシス、死亡、および、細胞内で作られた分子を細胞外に放出（分泌）する機能が促進され、双方が抑制に働く場合、特定の細胞機能は促進されない。
【手続補正５】
【補正対象書類名】明細書
【補正対象項目名】０１５０
【補正方法】変更
【補正の内容】
【０１５０】
図１８に示される１９種類の蛋白質の相互の組み合わせにおいて、NN型となる分子セットにおいては、縦軸に対応する蛋白質のインデックスのほうが、横軸に対応する蛋白質のインデックスよりも大きかった場合、縦軸に対応する蛋白質が促進（POS)側であるので、２つのインデックスの差の絶対値が求められ、縦軸に対応する蛋白質のインデックスのほうが、横軸に対応する蛋白質のインデックスよりも小さかった場合、縦軸に対応する蛋白質が抑制（NEG) 側であるので、２つのインデックスの差の絶対値の負の値が求められる。すなわち、INSとIFNGにおいては、図１５を用いて説明した対応する細胞機能のそれぞれにおいて、２つのインデックスの差−０．４０に係数がかけられたものが、促進側か抑制側かに応じて、正、または負の値で対応付けられる。同様にして、他のNN型の分子セットにおいても演算が実行される。
【手続補正６】
【補正対象書類名】明細書
【補正対象項目名】０１５４
【補正方法】変更
【補正の内容】
【０１５４】
係数設定部２３は、点数積算部２２により実行されるスコアの積算に用いられる係数を設定するものである。係数は、NN型が最も大きく、PP型が最も小さくなるように設定されると好適である。また、分子セットの二分子間に分子結合が報告されている場合、その係数に１より大きい所定の値を乗ずるものとする。これらの係数は、実験的経験的にあらかじめ求められて、係数設定部２３に設定されているものとしてもよいし、操作入力取得部２４の処理により、ユーザが設定変更することが可能なようにしてもよい。
【手続補正７】
【補正対象書類名】明細書
【補正対象項目名】０１５５
【補正方法】変更
【補正の内容】
【０１５５】
操作入力取得部２４は、例えば、キーボード、マウス、タッチパッド、タッチパネル、その他の図示しない入力デバイスを用いて入力される、ユーザの操作入力を取得するものであり、係数設定部２３による係数の設定を変更したり、後述する標的分子推定部２７の処理によるシミュレーションにおける蛋白質インデックスの値の変更を指令したり、データベース構築処理部２５によるデータベースの更新などを指令するユーザの操作入力を受け、それぞれ、係数設定部２３、標的分子推定部２７、または、データベース構築処理部２５の対応するものに供給する。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
クライアント装置と複数の通信方式において通信可能なサーバー装置であって、
前記複数の通信方式の少なくともいずれかにおいて通信を行ったクライアント装置の第１の認証用情報を記憶する記憶手段と、
前記複数の通信方式のうちいずれかの通信方式においてクライアント装置から接続要求を受けつけた場合に、該クライアント装置の記憶手段に記憶された第２の認証用情報の送信を要求する要求手段と、
前記要求に応じて前記第２の認証用情報が送信された場合に、前記第１の認証用情報に基づいて該第２の認証用情報の認証を行う第１の認証手段と、
前記第１の認証手段により、前記第２の認証用情報が認証された場合に、前記クライアント装置によるアクセスを許可するアクセス許可手段と
を備えることを特徴とするサーバー装置。
【請求項２】
前記要求に応じて前記第２の認証用情報が送信されない場合、又は、前記第１の認証手段により認証がされない場合に、第３の認証用情報を入力するための第１の入力画面を前記クライアント装置に表示させる表示制御手段と、
前記第１の入力画面により入力された前記第３の認証用情報を前記クライアント装置より受信する受信手段と、
前記第１の認証用情報に基づいて、前記第３の認証用情報の認証を行う第２の認証手段と、
前記第２の認証手段により、前記第３の認証用情報が認証された場合に、前記第２の認証用情報を生成し、前記クライアント装置に送信する送信手段と
を備えることを特徴とする請求項１に記載のサーバー装置。
【請求項３】
前記表示制御手段は、前記サーバー装置の表示手段に前記第１の入力画面に対応する第２の入力画面を更に表示させ、
前記第２の認証手段は、前記第１の認証用情報に基づいて、前記第１の入力画面により入力された前記第３の認証用情報、又は、前記第２の入力画面により入力された第４の認証用情報の認証を行い、
前記第２の認証手段により、前記認証がなされた場合に、前記表示制御手段は、前記第２の入力画面の表示を終了することを特徴とする請求項２に記載のサーバー装置。
【請求項４】
前記第２の認証用情報には、前記クライアント装置が前記サーバー装置に最後にアクセスした時刻情報が含まれ、
前記第１の認証手段は、前記時刻情報より所定期間が経過した場合には、前記第２の認証用情報を認証しないことを特徴とする請求項１乃至３のいずれかに１項記載のサーバー装置。
【請求項５】
サーバー装置と複数の通信方式において通信可能なクライアント装置であって、
前記複数の通信方式の少なくともいずれかにおいて通信を行ったサーバー装置から受信した認証用情報を記憶するための記憶手段と、
前記サーバー装置に対して、前記複数の通信方式のうち第１の通信方式によりアクセスを要求するアクセス要求手段と、
前記アクセス要求に応じて、前記サーバー装置から送信要求された前記認証用情報を前記サーバー装置に送信する送信手段と
を備え、
前記送信手段により送信した前記認証用情報に基づき前記サーバー装置へのアクセスが許可された場合に、前記サーバー装置との通信を行うことを特徴とするクライアント装置。
【請求項６】
前記記憶手段に前記認証用情報が記憶されていない場合、又は、送信した前記認証用情報に基づき前記サーバー装置へのアクセスが許可されない場合に、前記認証用情報の入力を受けつける第１の入力画面を表示手段に表示する表示制御手段を更に備え、
前記送信手段は、前記第１の入力画面により入力された前記認証用情報を前記サーバー装置に送信し、
前記送信手段により送信した前記認証用情報に基づき前記サーバー装置へのアクセスが許可された場合に、前記サーバー装置との通信を行うことを特徴とする請求項５に記載のクライアント装置。
【請求項７】
前記第１の通信方式は近接無線通信方式であって、
前記サーバー装置の表示手段には、前記第１の入力画面に対応する第２の入力画面が表示され、
前記クライアント装置は、前記第１の入力画面又は前記第２の入力画面により入力された前記認証用情報の、前記サーバー装置における認証結果を検知する検知手段を更に備え、
前記表示制御手段は、前記認証結果により前記認証用情報が認証された場合には、前記第１の入力画面の表示を終了することを特徴とする請求項６に記載のクライアント装置。
【請求項８】
コンピュータを請求項１乃至４のいずれか１項に記載のサーバー装置として機能させるためのコンピュータプログラム。
【請求項９】
請求項８に記載のコンピュータプログラムを格納したコンピュータで読み取り可能な記憶媒体。
【請求項１０】
クライアント装置と複数の通信方式において通信可能で、前記複数の通信方式の少なくともいずれかにおいて通信を行ったクライアント装置の第１の認証用情報を記憶する記憶部を備えるサーバー装置の制御方法であって、
前記複数の通信方式のうちいずれかの通信方式においてクライアント装置から接続要求を受けつけた場合に、該クライアント装置の記憶部に記憶された第２の認証用情報の送信を要求する要求工程と、
前記要求に応じて前記第２の認証用情報が送信された場合に、前記第１の認証用情報に基づいて該第２の認証用情報の認証を行う第１の認証工程と、
前記第１の認証工程において、前記第２の認証用情報が認証された場合に、前記クライアント装置によるアクセスを許可するアクセス許可工程と
を備えることを特徴とするサーバー装置の制御方法。
【請求項１１】
サーバー装置と複数の通信方式において通信可能で、前記複数の通信方式の少なくともいずれかにおいて通信を行ったサーバー装置から受信した認証用情報を記憶するための記憶部を備えるクライアント装置の制御方法であって、
前記サーバー装置に対して、前記複数の通信方式のうち第１の通信方式によりアクセスを要求するアクセス要求工程と、
前記アクセス要求に応じて、前記サーバー装置から送信要求された前記認証用情報を前記サーバー装置に送信する送信工程と
を備え、
前記送信工程において送信した前記認証用情報に基づき前記サーバー装置へのアクセスが許可された場合に、前記サーバー装置との通信を行うことを特徴とするクライアント装置の制御方法。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
印刷ジョブに含まれる複数の領域のデータを、互いに独立した複数の処理手段の何れかに割り当てる割り当て手段と、
前記割り当て手段により複数の領域のデータが割り当てられた複数の処理手段で並行して処理して複数の印刷コマンドを生成する印刷コマンド生成手段と、
前記印刷コマンド生成手段により生成された複数の印刷コマンドを、印刷装置に出力する出力手段とを有することを特徴とする情報処理装置。
【請求項２】
前記割り当て手段は、前記データを処理の重さに応じて、割り当てることを特徴とする請求項１に記載の情報処理装置。
【請求項３】
前記割り当て手段は、前記データを機械的に、割り当てることを特徴とする請求項１に記載の情報処理装置。
【請求項４】
前記出力手段は、前記印刷コマンド生成手段により生成された複数の印刷コマンドを、印刷順とは無関係に生成された順で、印刷装置に出力することを特徴とする請求項１に記載の情報処理装置。
【請求項５】
前記出力手段は、印刷順序を特定する情報を含む印刷コマンドを印刷装置に出力することを特徴とする請求項４に記載の情報処理装置。
【請求項６】
前記複数の処理手段は、別スレッドで動作することを特徴とする請求項１に記載の情報処理装置。
【請求項７】
前記複数のスレッドは、前記印刷装置における出力順に、前記割り当て手段により割り当てられた領域のデータを処理することを特徴とする請求項６に記載の情報処理装置。
【請求項８】
前記印刷コマンド生成手段により生成された複数の印刷コマンドに、前記印刷装置における出力順を識別するための識別情報を付加する識別情報付加手段を有し、
前記出力手段は、前記識別情報付加手段により識別情報が付加された複数の印刷コマンドを、前記印刷装置における出力順とは無関係に、生成順に前記印刷装置に出力することを特徴とする請求項１〜７の何れか１項に記載の情報処理装置。
【請求項９】
前記出力手段は、前記印刷コマンド生成手段により生成された複数の印刷コマンドを、前記印刷装置における出力順に並べ替えて前記印刷装置に出力することを特徴とする請求項１〜８の何れか１項に記載の情報処理装置。
【請求項１０】
前記割り当て手段は、前記印刷装置で最も速く印刷が実行されるようにするための処理を行うスレッドを、前記複数の領域のデータのそれぞれについて予測し、予測したスレッドに、前記複数の領域のデータを割り当てることを特徴とする請求項６に記載の情報処理装置。
【請求項１１】
前記領域は、ページ又はバンドであることを特徴とする請求項１〜１０の何れか１項に記載の情報処理装置。
【請求項１２】
印刷装置の動的に変化する情報を取得する取得手段と、
前記取得手段により取得された情報に基づいて、各スレッドの担当する処理を決定し、決定した処理を各スレッドに割り当てる割り当て手段と、
前記割り当て手段により処理が割り当てられた複数のスレッドを並行して処理して複数の印刷コマンドを生成する印刷コマンド生成手段と、
前記印刷コマンド生成手段により生成された複数の印刷コマンドを、複数のスレッドで並行して印刷制御装置に出力する出力手段とを有することを特徴とする情報処理装置。
【請求項１３】
請求項１２に記載の情報処理装置と通信可能に接続され、前記情報処理装置から出力された印刷コマンドを用いて、印刷装置を制御する印刷制御装置であって、
前記情報処理装置から出力された印刷コマンドを画像処理して画像メモリに書き込む制御手段と、
前記情報処理装置から出力された印刷コマンドが、前記制御手段により画像処理される必要があるものか否かを判定する判定手段と、
前記判定手段により画像処理される必要がないと判定された印刷コマンドを前記画像メモリに書き込む書きこみ手段とを有し、
前記制御手段は、前記判定手段により画像処理される必要があると判定された印刷コマンドを画像処理して前記画像メモリに出力することを特徴とする印刷制御装置。
【請求項１４】
印刷ジョブに含まれる複数の領域のデータを、互いに独立した複数の処理手段の何れかに割り当てる割り当てステップと、
前記割り当てステップにより複数の領域のデータが割り当てられた複数の処理手段で並行して処理して複数の印刷コマンドを生成する印刷コマンド生成ステップと、
前記印刷コマンド生成ステップにより生成された複数の印刷コマンドを、印刷装置に出力する出力ステップとを有することを特徴とする画像処理方法。
【請求項１５】
印刷装置の動的に変化する情報を取得する取得ステップと、
前記取得ステップにより取得された情報に基づいて、各スレッドの担当する処理を決定し、決定した処理を各スレッドに割り当てる割り当てステップと、
前記割り当てステップにより処理が割り当てられた複数のスレッドを並行して処理して複数の印刷コマンドを生成する印刷コマンド生成ステップと、
前記印刷コマンド生成ステップにより生成された複数の印刷コマンドを、複数のスレッドで並行して印刷制御装置に出力する出力ステップとを有することを特徴とする画像処理方法。
【請求項１６】
前記出力ステップにより出力された印刷コマンドを画像処理して画像メモリに書き込む制御ステップと、
前記出力ステップにより出力された印刷コマンドが、前記制御ステップにより画像処理される必要があるものか否かを判定する判定ステップと、
前記判定ステップにより画像処理される必要がないと判定された印刷コマンドを前記画像メモリに書き込む書きこみステップとを有し、
前記制御ステップは、前記判定ステップにより画像処理される必要があると判定された印刷コマンドを画像処理して前記画像メモリに出力することを特徴とする請求項１５に記載の画像処理方法。
【請求項１７】
印刷ジョブに含まれる複数の領域のデータを、互いに独立した複数の処理手段の何れかに割り当てる割り当てステップと、
前記割り当てステップにより複数の領域のデータが割り当てられた複数の処理手段で並行して処理して複数の印刷コマンドを生成する印刷コマンド生成ステップと、
前記印刷コマンド生成ステップにより生成された複数の印刷コマンドを、印刷装置に出力する出力ステップとをコンピュータに実行させることを特徴とするコンピュータプログラム。
【請求項１８】
印刷装置の動的に変化する情報を取得する取得ステップと、
前記取得ステップにより取得された情報に基づいて、各スレッドの担当する処理を決定し、決定した処理を各スレッドに割り当てる割り当てステップと、
前記割り当てステップにより処理が割り当てられた複数のスレッドを並行して処理して複数の印刷コマンドを生成する印刷コマンド生成ステップと、
前記印刷コマンド生成ステップにより生成された複数の印刷コマンドを、複数のスレッドで並行して印刷制御装置に出力する出力ステップとをコンピュータに実行させることを特徴とするコンピュータプログラム。
【手続補正書】
【提出日】平成20年9月4日(2008.9.4)
【手続補正１】
【補正対象書類名】特許請求の範囲
【補正対象項目名】請求項４
【補正方法】変更
【補正の内容】
【請求項４】
さらに、前記ソフトウェアの起動時に前記記憶装置を参照する参照手段を有し、前記ライセンス認証が完了している旨の登録がある場合には、前記固有情報取得手段が前記固有情報を取得した外部装置とは異なる外部装置が接続された場合でも、ライセンス認証の要求を行なわないことを特徴とする請求項１又は請求項２記載のライセンス認証装置。
【手続補正２】
【補正対象書類名】特許請求の範囲
【補正対象項目名】請求項６
【補正方法】変更
【補正の内容】
【請求項６】
固有情報を有する外部装置を用いるソフトウェアのライセンス認証を行うライセンス認証方法であって、
前記外部装置から前記固有情報を取得し、記憶装置に格納する固有情報取得ステップと、
前記固有情報から、ユーザ固有情報を生成し、前記記憶装置に格納する生成ステップと、
ユーザにより入力されたライセンスキーを取得する取得ステップと、
前記ライセンスキーが、前記記憶装置に格納された前記ユーザ固有情報に所定の操作を行なって生成されたものかどうかを判定する判定ステップと、
前記判定ステップにより、前記ライセンスキーが前記ユーザ固有情報に所定の操作を行なって生成されたものであると判定された場合に、前記ソフトウェアのライセンス認証が完了した旨を前記記憶装置に登録する登録ステップとを有することを特徴とするライセンス認証方法。
【手続補正３】
【補正対象書類名】特許請求の範囲
【補正対象項目名】請求項７
【補正方法】変更
【補正の内容】
【請求項７】
請求項６に記載のライセンス認証方法の各ステップをコンピュータに実行させるためのプログラム。
【手続補正４】
【補正対象書類名】明細書
【補正対象項目名】００１２
【補正方法】変更
【補正の内容】
【００１２】
また、上述の目的は、固有情報を有する外部装置を用いるソフトウェアのライセンス認証を行うライセンス認証方法であって、外部装置から固有情報を取得し、記憶装置に格納する固有情報取得ステップと、固有情報から、ユーザ固有情報を生成し、記憶装置に格納する生成ステップと、ユーザにより入力されたライセンスキーを取得する取得ステップと、ライセンスキーが、記憶装置に格納されたユーザ固有情報に所定の操作を行なって生成されたものかどうかを判定する判定ステップと、判定ステップにより、ライセンスキーがユーザ固有情報に所定の操作を行なって生成されたものであると判定された場合に、ソフトウェアのライセンス認証が完了した旨を記憶装置に登録する登録ステップとを有することを特徴とするライセンス認証方法によっても達成される。